(57)【要約】【課題】  接着テープ用収納ケースの使用上の不具合を解消する。すなわち、付着物等による接着力の低下を防ぎ、接着テープの切断箇所をきれいに保つ。【解決手段】  ロール状の接着テープＴが円筒部１０１に回転可能に装着され、着脱可能な蓋１１０を有する略拳銃形状のケース本体１００と；ケース本体１００の引き金部位に設けられ、ケース本体１００に形成された長孔１０２を通して外部に突出する引き金２２０を引くことにより、これに応動して回転するドラム２５０により接着テープＴを引出し口１２０を通して外部に引き出す引出し手段と；ケース本体１００の銃身部位に設けられ、ケース本体１００の銃身の上面に摺動可能に設けられている操作摘み３１０を後方に移動させることにより、これに応動して昇降するカッタ３４０により、引出し手段により引き出された接着テープＴを切断するカッティング手段とからなる構成とする。【選択図】  図９
2009023845.tif 000002
【特許請求の範囲】
【請求項１】
ロール状の接着テープが円筒部に回転可能に装着され、着脱可能な蓋を有する略拳銃形状のケース本体と、
上記ケース本体の引き金部位に設けられ、上記ケース本体に形成された長孔を通して外部に突出する引き金を引くと、これに応動して回転するドラムにより上記接着テープを引出し口を通って外部に引き出す引出し手段と、
上記ケース本体の銃身部位に設けられ、上記ケース本体の銃身の上面に摺動可能に設けられた操作摘みを後方に移動させることにより、これに応動して昇降するカッタにより、上記引出し手段により引き出された接着テープを切断するカッティング手段とにより構成したことを特徴とする接着テープ用収納ケース。
【請求項２】
請求項１に記載の接着テープ用収納ケースにおいて、上記引出し手段は、
上記ケース本体の両側面に軸支される第１回転軸と、
上記第１回転軸に回動可能に軸設される円筒状端部が一体に形成されるとともに、略中央部位にピン結合され、且つ第１トーションスプリングにより下向けに付勢されるプッシュ鎹を有する引き金と、
上記引き金の円筒状端部の一端に装着されて上記引き金を所定位置に付勢する第２トーションスプリングと、
上記引き金の円筒状端部の他端が軸支される軸支孔が形成された円弧板と、この円弧板と一体に形成されるとともに両端部に上記ケース本体に形成された１対の凹溝に係止される係止片が各々形成された保持板とからなり、さらに上記円弧板に設けられたピンに回転可能に軸設される引出しローラと、上記保持板の略中央部位にピン結合され、第３トーションスプリングにより上向けに付勢される逆止鎹とを有する保持部と、
上記第１回転軸の両端部に各々軸設され、内周面には上記プッシュ鎹と逆止鎹とが各々係合されるラチェットが形成され、外周面にはベルトが巻装されるベルト溝が形成された有底筒状の１対のドラムと、
上記ベルトにより上記ドラムと連結される第２回転軸と、この第２回転軸と上記ドラムとの間の間隙を維持する１対の間隙維持板と、上記第２回転軸に軸設される複数の補助ローラとからなり、上記複数の補助ローラが上記第２回転軸と共に回転して上記接着テープを上記引出し口へ案内する案内部と、で構成したことを特徴とする接着テープ用収納ケース。
【請求項３】
請求項２に記載の接着テープ用収納ケースにおいて、上記保持板の後方の端部には、接着テープの引出し時、上記接着テープの接着面が上記保持板の後方の端部に付かないように鋸歯状の突起を一体に形成したことを特徴とする接着テープ用収納ケース。
【請求項４】
請求項２に記載の接着テープ用収納ケースにおいて、上記補助ローラは、上記接着テープの接着面との接触面積を最小化するために、その外周面をギヤ形状に形成したことを特徴とする接着テープ用収納ケース。
【請求項５】
請求項１に記載の接着テープ用収納ケースにおいて、上記カッティング手段は、
上記ケース本体の銃身の上面に摺動可能に設けられ、裏面に１対の垂下突起が形成された操作摘みと、
上記ケース本体の側壁に設けられたピンに回動可能に軸設され、上記操作摘みの摺動に応動して上記ピンを支点にして回動するカムと、
先端に１対の突起が設けられ、長手方向に沿って第４トーションスプリングが装着されるスリットと長孔とが形成され、両側面に１対の軸突起が設けられ、基端部が第５トーションスプリングにより下方に付勢され、上記カムの回動に応動して上記１対の軸突起を支点にして回動するレバーと、
上端部に上記レバーの１対の突起が貫通する１対の貫通穴と上記第５トーションスプリングが通過するＶ溝とが形成され、上記レバーの先端に固定されて昇降するカッタと、
一側面に上記レバーの１対の突起を案内する１対の案内溝と上記第５トーションスプリングの先端が係止される係止穴とが形成され、上記カッタと共に下降して、引き出された接着テープを押圧して挟持する押圧板と、で構成したことを特徴とする接着テープ用収納ケース。
【請求項６】
請求項１に記載の接着テープ用収納ケースにおいて、上記ケース本体の銃身の先端には、上記カッティング手段により切断された接着テープを押圧して被接着面に貼り付けるための断面半円状の押圧部を形成したことを特徴とする接着テープ用収納ケース。
【請求項７】
ロール状の接着テープを回転可能に収納するとともにテープ引出し口を有するケース本体と、
前記接着テープに沿うように配した回転ドラムと、
この回転ドラムを回転させる引き金と、
引き出される接着テープに対して接近する方向と離反する方向とに往復移動が可能なカッタと、
このカッタを移動させる操作部材とからなり、
引き金を引いて回転ドラムを回転させることにより接着テープをテープ引出し口から引出し、引出した接着テープを操作部材を介してカッタを移動させることにより切断することを特徴とする接着テープ用収納ケース。
【発明の詳細な説明】
【技術分野】
【０００１】
本発明は、文房具として広く用いられる接着テープ用収納ケースに関する。
【背景技術】
【０００２】
接着テープは、紙やその他の物品等を貼り付けるために用いられるロール状に巻取られた多用途テープの１種である。この接着テープを収納する収納ケースは、通常、アクリル等の透明な材質からなっているため、その内部に挿着された接着テープの残余量を容易に確認することができる。
【０００３】
この収納ケースは、ロール状の接着テープを容易に着脱することができるように、一側面が開口された略６字形の有底筒状をなし、その収納部の略中央部位には、ロール状の接着テープが回転可能に装着される筒状部が形成されており、収納ケースの開口面は、通常、紙からなる蓋により覆われている。
【０００４】
また、収納ケースには、収納部内の接着テープを外部に容易に引き出せるように、その外周面から張り出した張出部が形成されており、この張出部の先端には、引き出される接着テープの所定箇所を人為的に貼り付けることができるようにした仮安着部と、この仮安着部の真ん前に多数の鋸目が一例に突設された切断部とが形成されている。
【発明の開示】
【発明が解決しようとする課題】
【０００５】
ところが、上記のような従来の接着テープ用収納ケースは、接着テープを使用する毎に、仮安着部に貼り付けられている接着テープの先端を手で取り外さなければならないし、また、接着テープを切り取る時には、引き出された接着テープ切断箇所を仮安着部に貼り付けながら切断部に当てて下方に引っ張ることにより切断しなければならないものであった。このため、全ての過程が手作業だけによるため、使用上の不具合があった。
【０００６】
また、接着テープの取外し時及び切取り時には、接着テープの接着面に指紋や塵等の異物が付くので、接着力が低下する問題点があり、特に、接着テープの切断箇所が切断部により鋸目状に切断されるので、外観がきれいにならない問題点もあった。
【０００７】
本発明は、上記の事情に鑑みてなされたもので、その目的は、ケース本体内に引出し手段とカッティング手段とを設け、接着テープの使用時、ケース本体内に収納されているロール状の接着テープをケース本体から自動的に所望の長さだけ引き出せることができると共に、引き出された接着テープを自動的に切り取ることができるようにすることにより、使用の勝手を向上させた接着テープ用収納ケースの提供にある。
【課題を解決するための手段】
【０００８】
本発明の接着テープ用収納ケースは、上記の目的を達成するために、ロール状の接着テープが円筒部に回転可能に装着され、着脱可能な蓋を有する略拳銃形状のケース本体と；上記ケース本体の引き金部位に設けられ、上記ケース本体に形成された長孔を通して外部に突出する引き金を引くと、これに応動して回転するドラムにより上記接着テープを引出し口を通って外部に引き出す引出し手段と；上記ケース本体の銃身部位に設けられ、上記ケース本体の銃身の上面に摺動可能に設けられた操作摘みを後方に移動させることにより、これに応動して昇降するカッタにより、上記引出し手段により引き出された接着テープを切断するカッティング手段とにより構成したことを特徴とする。
【０００９】
そして、上記ケース本体の銃身の先端には、カッティング手段により切断された接着テープを押圧して被接着面に貼り付けるための断面半円状の押圧部を形成するのが好ましい。
【００１０】
また、本発明によれば、上記引出し手段は、上記ケース本体の両側面に軸支される第１回転軸と；上記第１回転軸に回動可能に軸設される円筒状端部が一体に形成されるとともに、略中央部位にピン結合され、且つ１トーションスプリングにより下向けに付勢されるプッシュ鎹を有する引き金と；上記引き金の円筒状端部の一端に装着されて上記引き金を所定位置に付勢する第２トーションスプリングと；上記引き金の円筒状端部の他端が軸支される軸支孔が形成された円弧板と、この円弧板と一体に形成されるとともに、両端部に、上記ケース本体に形成された１対の凹溝に係止される係止片が各々形成された保持板とからなり、さらに、上記円弧板に設けられたピンに回転可能に軸設される引出しローラと、上記保持板の略中央部位にピン結合され、第３トーションスプリングにより上向けに付勢される逆止鎹とを有する保持部と；上記第１回転軸の両端部に各々軸設され、内周面には上記プッシュ鎹と逆止鎹とが各々係合されるラチェットが形成され、外周面にはベルトが巻装されるベルト溝が形成された有底筒状の１対のドラムと；上記ベルトにより上記ドラムと連結される第２回転軸と、この第２回転軸と上記ドラムとの間の間隙を維持する１対の間隙維持板と、上記第２回転軸に軸設される複数の補助ローラとからなり、上記複数の補助ローラが上記第２回転軸と共に回転して上記接着テープを上記引出し口へ案内する案内部と；で構成したことを特徴とする。
【００１１】
そして、上記保持板の後方の端部には、接着テープの引出し時、上記接着テープの接着面が上記保持板の後方の端部に付かないように鋸歯状の突起を一体に形成するのが好ましい。且つ、上記補助ローラは、上記接着テープの接着面との接触面積を最小化するために、その外周面をギヤ形状に形成するのが好ましい。
【００１２】
また、本発明によれば、上記カッティング手段は、上記ケース本体の銃身の上面に摺動可能に設けられ、裏面に１対の垂下突起が形成された操作摘みと；上記ケース本体の側壁に設けられたピンに回動可能に軸設され、上記操作摘みの摺動に応動して上記ピンを支点にして回動するカムと；先端に１対の突起が設けられ、長手方向に沿って第４トーションスプリングが装着されるスリットと長孔とが形成され、両側面に１対の軸突起が設けられ、基端部が第５トーションスプリングにより下方に付勢され、上記カムの回動に応動して上記１対の軸突起を支点にして回動するレバーと；上端部に上記レバーの１対の突起が貫通する１対の貫通穴と上記第５トーションスプリングが通過するＶ溝とが形成され、上記レバーの先端に固定されて昇降するカッタと；一側面に上記レバーの１対の突起を案内する１対の案内溝と上記第５トーションスプリングの先端が係止される係止穴とが形成され、上記カッタと共に下降して、引き出された接着テープを押圧して挟持する押圧板と；で構成したことを特徴とする。
【００１３】
また、本発明においては、ロール状の接着テープを回転可能に収納するとともにテープ引出し口を有するケース本体と、前記接着テープに沿うように配した回転ドラムと、この回転ドラムを回転させる引き金と、引き出される接着テープに対して接近する方向と離反する方向とに往復移動が可能なカッタと、このカッタを移動させる操作部材とからなり、引き金を引いて回転ドラムを回転させることにより接着テープをテープ引出し口から引出し、引出した接着テープを操作部材を介してカッタを移動させることにより切断するようにしてもよい。
【発明を実施するための最良の形態】
【００１４】
以下、本発明の実施の形態を添付の図面を参照しながら詳細に説明する。
【００１５】
図１は、本発明の一実施形態の接着テープ用収納ケースを示す全体斜視図であり、図２は、この接着テープ用収納ケース内に引出し手段とカッティング手段とが設けられた状態を示す要部横断面図である。
【００１６】
図３は、上記引出し手段の作動状態を示す要部構成図であり、図４は、この引出し手段の分解斜視図であり、図５は、この引出し手段の組み立て状態を示す斜視図である。
【００１７】
図６は、上記接着テープ用収納ケースからカッティング手段を分離した状態を示す斜視図であり、図７は、このカッティング手段の分解斜視図である。
【００１８】
図８は、上記カッティング手段により接着テープが切断される直前の動作状態を示す作動説明図であり、図９は、このカッティング手段により接着テープが切断される動作状態を示す作動説明図である。
【００１９】
本発明の接着テープ用収納ケースは、図１及び図２に示すように、大別して、着脱可能な蓋１１０を有する略拳銃形状のケース本体１００と；このケース本体１００の引き金部位に設けられ、ケース本体の引き金部位に形成された長孔１０２を通して外部に突出されている引き金２２０を引くと、これに応動して回転するドラム２５０により接着テープＴを外部に引き出せる引出し手段と；上記ケース本体１００の銃身部位に設けられ、ケース本体の銃身の上面に摺動可能に設けられている操作摘み３１０を後方に移動させることにより、これに応動して昇降するカッタ３４０により上記引出し手段により引き出された接着テープＴを切断するカッティング手段と；で構成されている。
【００２０】
上記ケース本体１００は、図２に示すように、ロール状の接着テープＴが挿着される収納部位と、引出し手段が設けられる引き金部位と、カッティング手段が設けられる銃身部位とで構成される。
【００２１】
上記収納部位の略中央部には、ロール状の接着テープＴが回転可能に装着される円筒部１０１が形成されている。また、上記引出し手段が設けられる引き金部位には、引き金２２０が突出する長孔１０２と接着テープＴが外部に引き出される引出し口１２０が形成されている。また、上記カッティング手段が設けられる銃身部位の先端には、上記カッティング手段により切断された接着テープＴを押圧して被接着面に貼り付けるための断面半円状の押圧部１３０が形成されている。
【００２２】
上記引出し手段は、図３〜図５に示すように、大別して、第１回転軸２１０と、引き金２２０と、保持部２４０と、１対のドラム２５０と、案内部２７０とで構成されている。
【００２３】
上記第１回転軸２１０は、上記ケース本体１００の両側面に形成された図示しない軸受けに回転可能に軸支されている。
【００２４】
上記引き金２２０には、上記第１回転軸２１０に回動可能に軸設される円筒状端部２２１が一体に形成されており、この引き金２２０の略中央部位には、第１トーションスプリング２２２により下向けに付勢されるとともに後述するドラム２５０のラチェット２５１に係合するプッシュ鎹２２３がピン結合されている。
【００２５】
そして、上記引き金２２０は、その円筒状端部２２１の一端に装着される第２トーションスプリング２３０により、常に前方の所定位置に付勢されている。
【００２６】
上記保持部２４０は、図３及び図４に示すように、上記引き金２２０の円筒状端部２２１の他端が軸支される軸支孔２４１ａと外周面近傍に設けられたピン２４１ｂとを有する円弧板２４１と、この円弧板２４１に一体に形成され、上記ケース本体１００に形成された１対の凹溝１０３に係止されるＴ字形の係止片２４２ａが両端部に各々形成された保持板２４２とで構成されている。また、上記保持板２４２の後方の端部には、接着テープＴが引き出される際に、この接着テープの接着面が保持板２４２の後方の端部に付かないように鋸歯状の突起２４２ｂが一体に形成されている。
【００２７】
そして、上記円弧板２４１のピン２４１ｂには、接着テープＴが円滑に引き出されるように導く引出しローラ２４３が回転可能に軸設されている。且つ、上記保持板２４２の略中央部位には、第３トーションスプリング２４４により上向けに付勢されるとともに後述するドラム２５０のラチェット２５１に係合する逆止鎹２４５がピン結合されている。
【００２８】
上記１対のドラム２５０は有底筒状をなし、上記第１回転軸２１０の両端部に各々軸設され、その内周面には、上記引き金２２０にピン結合されたプッシュ鎹２２３と上記保持板２４２にピン結合された逆止鎹２４５とが各々係合するラチェット２５１が形成され、外周面には、ドラム２５０の回転力を後述する案内部２７０の第２回転軸２７１に伝達するためのベルト２６０が巻装されるベルト溝２５２が形成されている。
【００２９】
上記案内部２７０は、上記ベルト２６０が巻装され、ケース本体１００の両側面に形成された図示しない軸受けに回転可能に軸支される第２回転軸２７１と、この第２回転軸２７１と上記ドラム２５０との間の間隙を維持する１対の略三角形状の間隙維持板２７２と、上記第２回転軸２７１に軸設される複数の補助ローラ２７３とからなり、上記複数の補助ローラ２７３が第２回転軸２７１と共に回転して引き出される接着テープＴを引出し口１２０へ案内する。
【００３０】
そして、上記補助ローラ２７３は、上記接着テープＴの接着面との接触面積を最小化するために、その外周面をギヤ形状に形成するのが好ましい。
【００３１】
このように構成された引出し手段は、図５に示すように、組み立てられた状態で上記ケース本体１００の引き金部位に装着される。
【００３２】
上記カッティング手段は、図６乃至図９に示すように、大別して、操作摘み３１０と、カム３２０と、レバー３３０と、カッタ３４０と、押圧板３５０とで構成されている。
【００３３】
上記操作摘み３１０は、上記ケース本体１００の銃身の上面に摺動可能に設けられ、その裏面には、後述するカム３２０の垂直突起と係合する１対の垂下突起３１１が形成されている。
【００３４】
上記カム３２０は、略逆Ｆ字形をなし、上記ケース本体１００の側壁に設けられたピン１０５に回動可能に軸設されている。
【００３５】
上記レバー３３０は略へ字形をなし、先端には、後述するカッタ３４０を固設するための１対の突起３３１が形成され、この１対の突起３３１の間には、このレバー３３０の長手方向に沿って第４トーションスプリング３３２を装着するためのスリット３３３と長孔３３４とが形成され、上記レバー３３０の両側端面には、上記ケース本体１００の両側面に形成された図示しない軸受けに回転可能に軸支される１対の軸突起３３５が設けられている。そして、上記レバー３３０は、その基端部が第５トーションスプリング３３６により下方に付勢されている。
【００３６】
上記カッタ３４０は、上記レバー３３０の１対の突起３３１が貫通する１対の貫通穴３４１と上記第５トーションスプリング３３２が通過するＶ溝３４２とを有し、上記レバー３３０の先端に固定されて昇降する。
【００３７】
上記押圧板３５０には、一側面に上記レバー３３０の１対の突起３３１を案内する１対の案内溝３５１と上記第５トーションスプリング３３２の先端が係止される係止穴３５２とが形成され、この押圧板３５０は上記カッタ３４０と共に下降して、引き出された接着テープＴを押圧してケース本体１００の前壁との間で挟持するようになっている。
【００３８】
このように構成されたカッティング手段は、図６に示すように、組み立てられた状態で上記ケース本体１００の銃身部位に装着される。
【００３９】
次に、ケース本体１００内にロール状の接着テープＴを挿着する挿着過程、引出し手段により接着テープＴが引き出される引出し過程、及びカッティング手段により接着テープＴが切断される切断過程について説明する。
【００４０】
（接着テープの挿着過程）
ロール状の接着テープＴをケース本体１００の収納部位に挿着する際には、先ず、ケース本体１００から蓋１１０を取り外した後、ロール状の接着テープＴの先端を少し引き剥がした状態で、図１及び図２に示すように、このロール状の接着テープＴをケース本体１００の収納部位の円筒部１０１に嵌合する。このとき、引き剥がした接着テープＴの先端部分は、次のように挿入される。すなわち、ガイド棒１０５を経て、ドラム２５０と引出しローラ２４３と複数の補助ローラ２７３との外周面にその接着面が各々接着された状態であり、先端が引出し口１２０の外部に突出するように挿入する。
【００４１】
その後、ケース本体１００の開口面を蓋１１０で覆うことにより、ロール状の接着テープＴの挿着過程が完了する。
【００４２】
（接着テープＴの引出し過程）
接着テープＴを引き出す際には、図３に示すように、ケース本体１００の長孔１０２を通って外部に突出する引き金２２０を人差し指で引くと、引き金２２０は、第２トーションスプリング２３０の弾力に抗して、第１回転軸２１０を中点にして反時計方向に回動する。このとき、この引き金２２０にピン結合されているプッシュ鎹２２３が上記ドラム２５０のラチェット２５１に係合しているため、上記引き金２２０の回動に応動して上記ドラム２５０が反時計方向に回転する。
【００４３】
このように、上記ドラム２５０が反時計方向に回転すると、このドラム２５０の外周面に接着されている接着テープＴがドラム２５０と共に回転する。このとき、１対のドラム２５０の間に位置した引出しローラ２４３が、上記ドラム２５０の外周面に接着されている接着テープＴを押し上げて引き剥がすので、接着テープＴは引出し口１２０に向けて円滑に前進する。
【００４４】
そして、この接着テープＴは、ベルト２６０により連結されて上記ドラム２５０と共に回転する複数の補助ローラ２７３により、引出し口１２０を通るように案内されて、外部に引き出される。
【００４５】
一方、上記引き金２２０の回動に応動して回転するドラム２５０は、図３に示すように、このドラム２５０のラチェット２５１に係合されている逆止鎹２４５により時計方向への逆回転が防止される。従って、引かれた引き金２２０を解除すると、上記引き金２２０は、上記第２トーションスプリング２３０により元の所定位置に迅速に戻され、上記プッシュ鎹２２３は、第１トーションスプリング２２２の弾力に抗してラチェット２５１の歯を乗り越えて次のラチェット２５１の歯に係合されることになる。
【００４６】
上述の引出し過程を数回繰り返すことにより、即ち、引き金２２０を数回引くことにより、接着テープＴを所望の長さだけ外部に引き出すことができる。
【００４７】
（接着テープの切断過程）
上記引出し手段により所望の長さだけ引き出された接着テープＴを切断する際には、図８及び図９に示すように、親指でケース本体１００の銃身の上面に設けられている操作摘み３１０を後方に移動させる。この操作摘み３１０の１対の垂下突起３１１の間にカム３２０の垂直突起が係合されているため、上記カム３２０がピン１０５を中点にして時計方向に回動する。これにより、上記カム３２０の１対の水平突起が第４トーションスプリング３３６の弾力に抗してレバー３３０の基端部を押し上げることになり、これにより、レバー３３０が軸突起３３５を中点にして反時計方向に回動し、これに伴いレバー３３０の先端に固定されたカッタ３４０が下降する。このとき、上記レバー３３０の長孔３３４内に装着された第５トーションスプリング３３２により押圧板３５０が上記カッタ３４０と共に下降する。
【００４８】
ここで、図８に示すように、上記押圧板３５０は、上記カッタ３４０が接着テープＴを切断する直前に、引出し口１２０の下縁上に置かれている接着テープＴを押圧して挟持する。
【００４９】
このように、上記引出し手段により引き出された接着テープＴが上記押圧板３５０の下端と引出し口１２０の下縁とにより堅固に挟持され、この状態において、上記カッタ３４０は上記押圧板３５０の案内溝３５１に沿って更に下降する。したがって、上記接着テープＴを容易に且つきれいに切断することができる。
【００５０】
そして、上記のように接着テープＴを切断した後に、上記操作摘み３１０の後方への移動を解除すると、上記第４トーションスプリング３３６により上記レバー３３０の基端部が下降することにより、上記レバー３３０の先端に固定された上記カッタ３４０及び上記押圧板３５０が上昇して元の所定位置に戻されると共に、上記レバー３３０の基端部が上記カム３２０の１対の水平突起を押し付けて上記カム３２０を反時計方向に回動させるため、上記操作摘み３１０は、上記カム３２０の垂直突起により元の所定位置に戻される。
【００５１】
カッティング手段により切断された接着テープＴは、そのまま指で摘んで被接着面に貼り付けてもよいが、そうすると、接着テープＴの接着面に指紋等の異物が付いて接着力が低下するおそれがある。ところが、カッティング手段により切断された接着テープＴは、図９に示すように、その未端が引出し口１２０の下縁に接着されているため、この引出し口１２０の下縁に接着された状態のままで接着テープＴを被接着面上に置いて上記押圧部１３０によりこれを押圧すると、上記のような接着テープＴの指紋等の異物による接着力の低下を防止することができる。
【産業上の利用可能性】
【００５２】
以上、詳細に説明したように、本発明の接着テープ用収納ケースによれば、引出し手段によりケース本体内に収納されているロール状の接着テープを自動的に所望の長さだけ引き出せることができると共に、カッタにより上記引出し手段により引き出された接着テープを自動的に且つきれいに切り取ることができるため、使用の勝手が向上される効果がある。
【００５３】
さらに、接着テープの接着力をより良好に維持することができると共に、被接着面に接着された接着テープの外観をよくすることができる。
【図面の簡単な説明】
【００５４】
【図１】本発明の一実施形態の接着テープ用収納ケースを示す斜視図。
【図２】図１の接着テープ用収納ケース内に引出し手段とカッティング手段とが設けられた状態を示す要部横断面図。
【図３】上記引出し手段の作動状態を示す要部構成図。
【図４】上記引出し手段の分解斜視図。
【図５】上記引出し手段の組み立て状態を示す斜視図。
【図６】図１の接着テープ用収納ケースからカッティング手段を分離した状態を示す斜視図。
【図７】上記カッティング手段の分解斜視図。
【図８】上記カッティング手段により接着テープが切断される直前の動作状態を示す作動説明図。
【図９】上記カッティング手段により接着テープが切断された直後の動作状態を示す作動説明図。
【符号の説明】
【００５５】
Ｔ…接着テープ
１００…ケース本体
１１０…蓋
１２０…引出し口
１３０…押圧部
２１０…第１回転軸
２２０…引き金
２２１…円筒状端部
２２２…第１トーションスプリング
２２３…プッシュ鎹
２３０…第２トーションスプリング
２４０…保持部
２４１…円弧板
２４２…保持板
２４３…引出しローラ
２４４…第３トーションスプリング
２４５…逆止鎹
２５０…ドラム
２５１…ラチェット
２５２…ベルト溝
２６０…ベルト
２７０…案内部
２７１…第２回転軸
２７２…間隙維持板
２７３…補助ローラ
３１０…操作摘み
３２０…カム
３３０…レバー
３３２…第４トーションスプリング
３３６…第５トーションスプリング
３４０…カッタ
３５０…押圧板
【図１】
2009023845.tif 000003
【図２】
2009023845.tif 000004
【図３】
2009023845.tif 000005
【図４】
2009023845.tif 000006
【図５】
2009023845.tif 000007
【図６】
2009023845.tif 000008
【図７】
2009023845.tif 000009
【図８】
2009023845.tif 000010
【図９】
2009023845.tif 000011